(57)【要約】【課題】  快適な座位を取ることができ、かつ、腰に負担をかけることのない座椅子を提供すること。【解決手段】  座部１０１と、背もたれ部１０２と、脚部１０３と、支持部１０４と、により構成される座椅子１００であって、背もたれ部１０２と座部１０１との間の角度がほぼ９０度となっており、かつ、脚部１０３と座部１０１との間の角度がほぼ９０度となっているときに、床面１１０と背もたれ部１０２との間の角度βが２５度乃至６０度の範囲になるようにした座椅子１００を提供する。【選択図】    図１
0003103177.tif 000002
【実用新案登録請求の範囲】
【請求項１】
人間が座ることができる領域を有する座部と、
人間が背中でもたれかかることができる領域を有する背もたれ部と、
人間が膝より下の脚を載せることができる脚部と、
支持部と、
前記背もたれ部を前記座部に対して、前記座部の第一の辺を中心として、回動自在に連結するとともに、前記背もたれ部を前記座部に対する所望の角度において固定する第一回動機構と、
前記脚部を前記座部に対して、前記座部の前記第一の辺と対向する第二の辺を中心として、かつ、前記座部に関して前記背もたれ部とは反対側において、回動自在に連結するとともに、前記脚部を前記座部に対する所望の角度において固定する第二回動機構と、
を備える座椅子であって、
前記第一回動機構は、前記背もたれ部と前記座部との間の角度が第一の角度から１８０度までの範囲内において、前記背もたれ部を前記座部に対して回動させ、
前記第二回動機構は、前記脚部と前記座部との間の角度が第二の角度から１８０度までの範囲内において、前記脚部を前記座部に対して回動させ、
前記支持部は、前記座部の前記第一の辺から前記第二の辺とは反対方向に延びるように前記座部に取り付けられており、
前記第一の角度は８５度乃至９５度であり、
前記第二の角度は８５度乃至９５度である座椅子。
【請求項２】
前記支持部は、前記第一の辺から前記第二の辺とは反対方向に延びる第一部分と、前記第一部分が延びる方向に対して前記背もたれ部の方向に屈曲している第二部分と、からなるものであることを特徴とする請求項１に記載の座椅子。
【考案の詳細な説明】
【技術分野】
【０００１】
本考案は、座椅子に関する。
【背景技術】
【０００２】
室内等で床に座るために、座部と背もたれ部とを有する座椅子が従来より使用されており、例えば、特開２００３−１１６６５７号公報に記載されている座椅子のように、従来の座椅子は、座部と背もたれ部との間の角度を任意の角度にすることができるようにされていた。
【考案の開示】
【考案が解決しようとする課題】
【０００３】
しかしながら、従来の座椅子では、座部が床面と平行になっているため、着座した際の下半身の姿勢が制約され、快適な座位を取ることが不可能であった。
【０００４】
また、従来の座椅子では、着座した際に上半身の重みが腰に掛かり腰痛を抱えている場合には、使用することができなかった。
【０００５】
そこで、本考案は、快適な座位を取ることができ、かつ、着座した際に腰に負担が掛からない座椅子を提供することを目的とする。
【課題を解決するための手段】
【０００６】
以上の課題を解決するため、本考案は、人間が座ることができる領域を有する座部と、人間が背中でもたれかかることができる領域を有する背もたれ部と、人間が膝より下の脚を載せることができる脚部と、支持部と、前記背もたれ部を前記座部に対して、前記座部の第一の辺を中心として、回動自在に連結するとともに、前記背もたれ部を前記座部に対する所望の角度において固定する第一回動機構と、前記脚部を前記座部に対して、前記座部の前記第一の辺と対向する第二の辺を中心として、かつ、前記座部に関して前記背もたれ部とは反対側において、回動自在に連結するとともに、前記脚部を前記座部に対する所望の角度において固定する第二回動機構と、を備える座椅子であって、前記第一回動機構は、前記背もたれ部と前記座部との間の角度が第一の角度から１８０度までの範囲内において、前記背もたれ部を前記座部に対して回動させ、前記第二回動機構は、前記脚部と前記座部との間の角度が第二の角度から１８０度までの範囲内において、前記脚部を前記座部に対して回動させ、前記支持部は、前記座部の前記第一の辺から前記第二の辺とは反対方向に延びるように前記座部に取り付けられており、前記第一の角度は８５度乃至９５度であり、前記第二の角度は８５度乃至９５度である座椅子を提供する。
【０００７】
このように、座部に対して第二の辺を中心として回動自在に取り付けられている脚部と、この第二の辺と対向する第一の辺から第二の辺と反対方向に延びる支持部と、により、床面に対して座部を傾斜させることができるため、下半身の窮屈さがなくなり、腰痛を抱えている場合でも使用することができるようになる。
【０００８】
なお、座部に取り付けられている脚部には、人間が膝より下の脚を載せることができるようにしているため、より快適な姿勢を取ることができる。
【０００９】
ここで、第一回動機構及び第二回動機構については、それぞれラチェットにより構成し、背もたれ部及び脚部は座部に対して一定角度毎に固定することができるようにすることが望ましい。
【００１０】
また、座部に取り付けられている支持部は、第一の辺から第二の辺とは反対方向に延びる第一部分と、この第一部分が延びる方向に対して背もたれ部の方向に屈曲している第二部分と、により構成することで、座部と背もたれ部とが取り付けられている第一の辺からより離れた位置でこの支持部が地面と接するため、人間が背もたれ部に背をもてれかけた際にも後方にひっくり返ってしまうことがなくなる。
【００１１】
ここで、この支持部については、背もたれ部が座部に対して９０度の角度をなし、かつ、脚部が座部に対して９０度の角度をなしているときに、地面と背もたれ部との間の角度が２５度乃至６０度の範囲になるように形成することで、人間が座った際に腰の部分に負担が掛からないようになる。
【００１２】
なお、この支持部は、座部に対して取り外し自在にしておくことで、収納等の際に便利である。
【考案の効果】
【００１３】
以上のように、本考案によれば、座部に対して第二の辺を中心として回動自在に取り付けられている脚部と、この第二の辺と対向する第一の辺から第二の辺と反対方向に延びる支持部と、により、床面に対して座部を傾斜させることができるため、下半身の窮屈さがなくなる。
【００１４】
また、座部に取り付けられている支持部により、背もたれ部が座部に対して９０度の角度をなし、かつ、脚部が座部に対して９０度の角度をなしているときに、地面と背もたれ部との間の角度が２５度乃至６０度の範囲とになるようにしているため、腰に負担が掛からず、腰痛を抱えている場合でも使用することができるようになる。
【考案を実施するための最良の形態】
【００１５】
図１は、本考案の第一の実施形態に係る座椅子１００の側方断面図である。
【００１６】
座椅子１００は、座部１０１と、背もたれ部１０２と、脚部１０３と、支持部１０４と、により構成されている。
【００１７】
座部１０１は、側方に二本配置された座部フレーム１０５Ａ（図１は側方断面図であるため一本のみ表示している）の上面にウレタン樹脂からなるクッション１０６を取り付けることにより形成されており、このクッション１０６に人間が腰掛けることができるようにしている。
【００１８】
背もたれ部１０２も、図３（座椅子１００の後方断面図）に表されているように、側方に二本配置し上端を結んだ背もたれ部フレーム１０５Ｂ（図１は側方断面図であるため一本のみ表示している）の上面にウレタン樹脂からなるクッション１０６を取り付けることにより形成されており、このクッション１０６に人間が背をもたれかけることができるようにしている。
【００１９】
脚部１０３も、側方に二本配置し下端を結んだ脚部フレーム１０５Ｃ（図１は側方断面図であるため一本のみ表示している）の上面にウレタン樹脂からなるクッション１０６を取り付けることにより形成されており、このクッション１０６に人間が膝より下の脚を載せることができるようにしている。
【００２０】
支持部１０４も、図３に表されているように、側方に二本配置し下端を結んだ支持部フレーム１０５Ｄ（図１は側方断面図であるため一本のみ表示している）により形成されている。
【００２１】
ここで、座部フレーム１０５Ａ、背もたれ部フレーム１０５Ｂ、脚部フレーム１０５Ｃ及び支持部フレーム１０５Ｄは、それぞれアルミニウム製のパイプにより形成されており、座部１０１、背もたれ部１０２、脚部１０３及び支持部１０４の表面には、カバー１０７が掛けられている。
【００２２】
ここで、座部１０１の大きさ・形状については、この座部１０１に腰掛けることができる大きさ・形状を適時選択すればよく、また、背もたれ部１０２の大きさ・形状についても、座部１０１に腰掛けてこの背もたれ部１０２に背中をもたれかけることができる大きさ・形状を適時選択すればよく、さらに、脚部１０３の大きさ・形状についても、座部１０１に腰掛けた際に膝から下の足をこの脚部１０３の上に載せることができる大きさ・形状を適時選択すればよい。
【００２３】
座部１０１及び背もたれ部１０２は、これらを形成する座部フレーム１０５Ａ及び背もたれ部フレーム１０５Ｂ同士を、第一回動機構としての第一ラチェット連結具１０８Ａにより連結することで、第一ラチェット連結具１０８Ａ同士（図１は側方断面図であるため、一つのみ表示）を結んだ線分である第一の辺を中心として回動自在にされている。
【００２４】
第一ラチェット連結具１０８Ａは、座部１０１と背もたれ部１０２とを、図１に表されているように、これらの間の角度がほぼ９０度となるように相互に回動させることができるほか、図２（座椅子１００の側方断面図）に表されているように、これらの間の角度がほぼ１８０度となるように相互に回動させることができるように構成されている。
【００２５】
なお、第一ラチェット連結具１０８Ａについては、所定の角度、例えば、１０度毎に座部フレーム１０５Ａと背もたれ部フレーム１０５Ｂとを固定することができるようにしておくことで、座部１０１及び背もたれ部１０２を所定の角度毎に固定することができるようになる。
【００２６】
また、座部１０１と背もたれ部１０２との間の角度は、９５度〜１８０度以上の範囲、好ましくは、８５度〜１８０度の間で回動することができるようにすることが望ましい。
【００２７】
また、座部１０１及び脚部１０３についても、これらを形成する座部フレーム１０５Ａ及び脚部フレーム１０５Ｃ同士を、第二回動機構としての第二ラチェット連結具１０８Ｂにより連結することで、第二ラチェット連結具１０８Ｂ同士（図１は側方断面図であるため、一つのみ表示）を結んだ線分である第二の辺を中心として回動自在にされている。
【００２８】
第二ラチェット連結具１０８Ｂは、座部１０１と脚部１０３とを、図１に表されているように、これらの間の角度がほぼ９０度となるように相互に回動させることができるほか、図２に表されているように、これらの間の角度がほぼ１８０度となるように相互に回動させることができるように構成されている。
【００２９】
なお、第二ラチェット連結具１０８Ｂについては、所定の角度、例えば、１０度毎に座部フレーム１０５Ａと脚部フレーム１０５Ｃとを固定することができるようにしておくことで、座部１０１及び脚部１０３を所定の角度毎に固定することができるようになる。
【００３０】
また、座部１０１と脚部１０３との間の角度は、９５度〜１８０度以上の範囲、好ましくは、８５度〜１８０度の間で回動することができるようにすることが望ましい。
【００３１】
座部１０１には、上述の第一の辺から第二の辺とは反対方向に延びるように支持部１０４が取り付けられている。
【００３２】
支持部１０４は、座部１０１の第一の辺から上述の第二の辺とは反対方向に向かって延びる第一部分１０４ａと、この第一部分１０４の延びる方向に対して背もたれ部１０２の方向に屈曲している第二部分１０４ｂと、により構成されている。
【００３３】
ここで、第一部分１０４ａと第二部分１０４ｂとの間の屈曲角度αについては、１１５度〜１５０度の間の角度から任意の角度を適時選択することができるが、本実施形態においては、１４０度となるように形成している。
【００３４】
このように、支持部１０４を所定の位置で屈曲させることにより、支持部１０４と床面１１０との接地位置が座部１０１と背もたれ部１０２との連結部分から遠く離れるため、背もたれ部１０２に大きな荷重が掛かった場合でも、座椅子１００が背もたれ部１０２の方向にひっくり返ってしまうことを防止することができる。
【００３５】
なお、支持部１０４については、図３に表されているように、背もたれ部１０２を形成している背もたれ部フレーム１０５Ｂの内側の幅Ｘよりも、支持部１０４を形成している支持部フレーム１０５Ｄの外側の幅Ｙが小さくなるように形成しているため、図２に表されているように、座部１０１と背もたれ部１０２との間の角度をほぼ１８０度とした場合でも、これらのフレーム１０５Ｂ、１０５Ｄ同士が干渉してしまうことがないようにしている。
【００３６】
また、この支持部１０４は、図１に表されているように、背もたれ部１０２と座部１０１との間の角度がほぼ９０度となっており、かつ、脚部１０３と座部１０１との間の角度がほぼ９０度となっているときに、床面１１０と背もたれ部１０２との間の角度βが２５度乃至６０度の範囲になるように形成されている。
【００３７】
床面１１０と背もたれ部１０２との間の角度βがこのような角度になるようにすることにより、座椅子１００に座った際に、上半身の重みがほぼ背もたれ部１０２に掛かるようになるため、腰に負担が掛からず腰痛を抱えている場合でも使用することができる。
【００３８】
以上のように本実施形態を構成したので、背もたれ部１０２と座部１０１との間の角度がほぼ９０度で、かつ、脚部１０３と座部１０１との間の角度がほぼ９０度となるようにすることができ、快適な座位を取ることができるようになる。
【００３９】
図４は、本考案の第二の実施形態に係る座椅子２００の側方断面図である。
【００４０】
座椅子２００は、座部１０１と、背もたれ部１０２と、脚部１０３と、支持部２０４と、により構成されている。
【００４１】
ここで、本実施形態に係る座椅子２００は、第一の実施形態に係る座椅子１００と比べて、支持部２０４の構成及び支持部２０４を取り外し自在にした点で異なっているため、以下これらの点についてのみ説明する。
【００４２】
第一の実施形態における支持部１０４は、アルミニウム製のパイプからなる支持部フレーム１０５Ｄの表面をカバー１０７により覆うことで形成されているが、本実施形態における支持部２０４は、アルミニウム製のパイプのみからなる支持部フレーム２０５Ｄにより形成されている。
【００４３】
また、第一の実施形態における支持部１０４は、第一部分１０４ａと第二部分１０４ｂとにより形成しているが、本実施形態における支持部２０４は、支持部２０４の中央部付近から背もたれ部１０２の方向に向かって円弧状に湾曲している。
【００４４】
このように、支持部２０４を湾曲させることによっても、第一の実施形態と同様に、支持部２０４と床面１１０との接地位置が座部１０１と背もたれ部１０２との接合部から遠く離れるようになり、背もたれ部１０２に大きな荷重が掛かった場合でも、座椅子１００が背もたれ部１０２の方向にひっくり返ってしまうことを防止することができる。
【００４５】
また、本実施形態における支持部２０４は、図５（座椅子２００の後方図）に表されているように、背もたれ部１０２に設けられている嵌合用凹部２１０に支持部２０４の突端２０４ａを嵌め込むことにより、着脱自在にされている。
【００４６】
従って、例えば、座部１０１と背もたれ部１０２との間の角度が１８０度となるようにする場合でも、この支持部２０４が背もたれ部１０２とぶつかり、邪魔になってしまうことがなくなる。
【００４７】
以上に記載した実施形態に係る座椅子１００、２００においては、座部１０１、背もたれ部１０２及び脚部１０３は、アルミニウム製のパイプからなる座部フレーム１０５Ａ、背もたれ部フレーム１０５Ｂ及び脚部フレーム１０５Ｂの上面にウレタン樹脂からなるクッション１０６で覆うことにより形成されているが、このような構成に限定されるわけではなく、例えば、アルミニウム製のパイプの代わりに樹脂製のパイプや他の金属製のパイプを使用することも可能であり、また、パイプ以外の板状部材によりこれらのフレーム１０５Ａ、１０５Ｂ、１０５Ｃを形成することも可能である。さらに、クッションについてもこれらのフレーム１０５Ａ、１０５Ｂ、１０５Ｃの上面ばかりでなく下面にも取り付けることが可能であり、ウレタン樹脂以外の素材により形成することも可能である。
【図面の簡単な説明】
【００４８】
【図１】第一の実施形態に係る座椅子１００の側方断面図。
【図２】第一の実施形態に係る座椅子１００の側方断面図。
【図３】第一の実施形態に係る座椅子１００の後方断面図。
【図４】第二の実施形態に係る座椅子２００の側方断面図。
【図５】第二の実施形態に係る座椅子２００の背面図。
【符号の説明】
【００４９】
１００、２００  座椅子
１０１  座部
１０２  背もたれ部
１０３  脚部
１０４、２０４  支持部
１０７  カバー
１０８Ａ  第一ラチェット連結具
１０８Ｂ  第二ラチェット連結具
２１０  嵌合用凹部
【図１】
0003103177.tif 000003
【図２】
0003103177.tif 000004
【図３】
0003103177.tif 000005
【図４】
0003103177.tif 000006
【図５】
0003103177.tif 000007